(57)【要約】【課題】ジョイナーと結合ブロックが安定して固定されていて振動が加わったときでも、壁パネルの連結部分ががたつくおそれがない壁パネルの連結構造を提供する。【構成】端部を背方に向けて折り返した折返し片を突設させた壁パネルを隣接させ、前記隣接する壁パネルにわたって開口部を設け、隣接させた前記壁パネルの折返し片に沿って断面がコ字状で長尺のジョイナーを前記折返し片を覆うように係合させ、前記ジョイナーの天井側の端部に天井用結合ブロックを前記ジョイナーに嵌合させることにより前記壁パネルと前記ジョイナーとを係止させる壁パネルの連結構造において、前記天井用結合ブロックの背面には前記ジョイナーと螺嵌するネジが嵌入されるネジ孔用切欠き部を形成し、前記ネジを螺嵌させることにより前記天井用結合ブロックを前記ジョイナーに対して保持してなる。【選択図】  図１
2005009203.tif 000002
【特許請求の範囲】
【請求項１】
端部を背方に向けて折り返した折返し片を突設させた壁パネルを隣接させ、前記隣接する壁パネルにわたって開口部を設け、隣接させた前記壁パネルの折返し片に沿って断面がコ字状で長尺のジョイナーを前記折返し片を覆うように係合させ、前記ジョイナーの天井側の端部に天井用結合ブロックを前記ジョイナーに嵌合させることにより前記壁パネルと前記ジョイナーとを係止させる壁パネルの連結構造において、前記天井用結合ブロックの背面には前記ジョイナーと螺嵌するネジが嵌入されるネジ孔用切欠き部を形成し、前記ネジを螺嵌させることにより前記天井用結合ブロックを前記ジョイナーに対して保持してなることを特徴とする壁パネルの連結構造。
【請求項２】
前記開口部に接する前記壁パネルの部分に前記パネルと前記ジョイナーに開口部用結合ブロックを嵌合することにより、前記壁パネルと前記ジョイナーとを係止させ、前記隣接する折返し片の間に乾式目地を嵌入してなる壁パネルの連結構造において、前記開口部ブロックの内部に前記折返し片と係合する突起片と前記乾式目地を嵌入する目地用切欠き部を設けてなることを特徴とする壁パネルの連結構造。
【発明の詳細な説明】
【０００１】
【発明の属する技術分野】
本発明は、ユニットバスの浴室壁等を構成するための壁パネルの連結構造に関するものである。
【０００２】
【従来の技術】
従来から、複数の壁パネルを配設することにより、ユニットバスの壁面を構成することが実施されている。このとき、図１、２のように、壁パネル１ａ、１ｂの連結部分に窓等を配設される開口部３を形成することがある。この場合、壁パネル１ａ、１ｂの側面の端部を背方に向けて折り返した折返し片２ａ、２ｂを突設させ、２枚の壁パネル１ａ、１ｂを隣接させる。この隣接させた壁パネル１ａ、１ｂで接合した折返し片２ａ、２ｂに沿って断面がコ字状のジョイナー４を接合させる。そして、ジョイナー４の上端部又は下端部で壁パネル１ａ、１ｂとジョイナー４に結合ブロックを嵌合させることにより、ジョイナー４を介して、２枚の壁パネルを１ａ、１ｂ連結していた。そして、壁パネル１ａ、１ｂの隙間に乾式目地６を嵌入していた。また、開口部での連結については、結合ブロックの代わりに挟持金具用いる構造が特開平１０−３２５１９７号公報に開示されている。
【０００３】
【特許文献１】
特開平１０−３２５１９７号公報（第２−４頁、図１）
【０００４】
【発明が解決しようとする課題】
しかしながら、従来の結合ブロックを用いる場合であっても、特開平１０−３２５１９７号公報に開示されている場合であっても、以下の問題があった。
【０００５】
まず、結合ブロックは、ジョイナーと結合ブロックが固定されていないために、振動が加わったときに、壁パネルの連結部分ががたつくおそれがあった。ここで、図１、２で、下部（床面側）に取り付けるジョイナーでは、この下端の結合ブロックが床に接して保持されるために、このジョイナーの重量は最終的には床面で支持されていることになる。これに対して、図１、２で、上部（天井側）に取り付けるジョイナーでは、この下端の結合ブロックの下部は開口部であり、結合ブロックをさらに下部で支持しているものがなく、このジョイナーは中空に配設される状態になっていた。このために、外部から振動が加わった時には、壁パネルの連結部分ががたつくおそれがあった。さらに、結合ブロックを用いた場合には、乾式目地が結合ブロックの部分には嵌入できない構造となっているために、乾式目地の端部を図７に示すような特殊な形状に形成することが必要となっていた。
【０００６】
本発明は、かかる事由に鑑みてなしたもので、その目的とするところは、乾式目地の端部を特殊な形状に形成することが必要となく、ジョイナーと結合ブロックが安定して固定されていて、外部から振動が加わったときでも、壁パネルの連結部分ががたつくおそれがない壁パネルの連結構造を提供することにある。
【０００７】
【課題を解決するための手段】
請求項１に係る発明は、端部を背方に向けて折り返した折返し片を突設させた壁パネルを隣接させ、前記隣接する壁パネルにわたって開口部を設け、隣接させた前記壁パネルの折返し片に沿って断面がコ字状で長尺のジョイナーを前記折返し片を覆うように係合させ、前記ジョイナーの天井側の端部に天井用結合ブロックを前記ジョイナーに嵌合させることにより前記壁パネルと前記ジョイナーとを係止させる壁パネルの連結構造において、前記天井用結合ブロックの背面には前記ジョイナーと螺嵌するネジが嵌入されるネジ孔用切欠き部を形成し、前記ネジを螺嵌させることにより前記天井用結合ブロックを前記ジョイナーに対して保持してなることを特徴としている。
【０００８】
請求項２に係る発明は、前記開口部に接する前記壁パネルの部分に前記パネルと前記ジョイナーに開口部用結合ブロックを嵌合することにより、前記壁パネルと前記ジョイナーとを係止させ、前記隣接する折返し片の間に乾式目地を嵌入してなる壁パネルの連結構造において、前記開口部ブロックの内部に前記折返し片と係合する突起片と前記乾式目地を嵌入する目地用切欠き部を設けてなることを特徴としている。
【０００９】
【発明の実施の形態】
（実施形態１）
本発明の実施形態１を図１〜３に基づいて説明する。本実施形態の壁パネルの連結構造は、図１、２に示すように、ユニットバスの浴室の壁面として用いられる壁パネル１ａ、１ｂを隣接させて連結するものである。また、壁パネル１ａ、１ｂの下部には窓を配設する開口部３が設けられている。壁パネル１ａ、１ｂは、金属製の板材であり、その側面の端部を背方に向けて折り返すことにより、折返し片２ａ、２ｂを端部に突設させている。また、上面の端部を折り曲げて上部折返し片８ａ、８ｂとして、天井面と係合する構造としている。ジョイナー４は、断面がコ字状で長尺の形状のものであり、鉄板等の金属板を折り曲げて形成したものである。また、後述する天井用結合ブロック１０に嵌合する上部（天井側）の端部には、ネジ２０を螺嵌するジョイナーネジ孔５が穿設されている。ここで、ジョイナーネジ孔５は、あらかじめ雌ネジのネジ山を螺刻しておいてもよい。また、ジョイナーネジ孔５は、あらかじめネジ山を有しない孔を穿設しておき、ネジ２０にタッピンネジを用いることにより、このネジを螺嵌すると同時にネジ山を螺刻してもよい。
【００１０】
天井用結合ブロック１０は、図３に示すように、硬質樹脂製で略直方体の外形をしていて、上部には、上部折返し片８ａ、８ｂと係合する上部突起片１３が形成されている。この天井用結合ブロック１０の背面には、背面視で略Ｕ字状のネジ孔用切欠き部１２が形成されていて、この部分にジョイナー４と係合するネジが嵌入される構造になっている。また、天井用結合ブロック１０はジョイナー４の上部（天井側）の端部に嵌合する構造になっいてる。このために天井用結合ブロック１０の内部には、ジョイナー４と係合する天井用突起片が具備されていて、この天井用突起片には、ネジ２０と螺嵌するブロックネジ孔１１が穿設されている。ここで、ブロックネジ孔１１にも、あらかじめ雌ネジのネジ山を螺刻しておいてもよい。また、ネジ２０にタッピンネジを用いることにより、ブロックネジ孔１１を穿設すると同時にネジ山を螺刻してもよい。また、天井用結合ブロック１０の上部には、上部折返し片８ａ、８ｂと係合する上部突起片１３が形成されている。
【００１１】
以下に、本実施形態の壁パネルの連結構造の手順について説明する。図１のように、折返し片２ａ、２ｂが屋外側で接合するように、壁パネル１ａ、１ｂを隣接させて配設させる。そして、折返し片２ａ、２ｂを覆うようにジョイナー４を係合させて配設させる。次に、ジョイナー４の上部の端部で天井用結合ブロック１０をジョイナー４に嵌合させることにより、ジョイナー４と壁パネル１ａ、１ｂとを係止させる。このときに、上部折返し片８ａ、８ｂと上部突起片１３とが、略同一面を形成するように係合させる。さらに、ネジ２０をジョイナーネジ孔５とブロックネジ孔１１とに螺嵌させることにより、ネジ２０を介して天井用結合ブロック１０をジョイナー４に対して保持させる。
【００１２】
本実施形態では、ネジ２０を介して天井用結合ブロック１０をジョイナー４に対して保持させている。したがって、ジョイナー４の下部が保持されていない状態であって、外部から振動が加わったときにも、壁パネル１ａ、１ｂの連結部分ががたつくことがない。このために、安定した壁パネルの連結構造になっている。
【００１３】
（実施形態２）
本発明の実施形態１を図１、２、４〜６に基づいて説明する。本実施形態の壁パネルの連結構造は、実施形態１と略同様であり、壁パネル１ａ、１ｂの屋外側には、実施形態１と同様にして、ジョイナー４を取り付ける。また、乾式目地６は、図６に示すように、断面が樹脂製のＴ字状の物に軟質樹脂製で弾力性に富む樹枝状の部位７を設けた長尺なものである。この乾式目地６を、図２に示すように、壁パネル１ａ、１ｂの屋内側に、折返し片２ａ、２ｂの隙間に乾式目地６を嵌入させる。こうすることにより、樹枝形状の部位７が隙間の内部に入り込み、浴室内の湿気等が壁パネル１ａ、１ｂの屋外側に侵入することを防止する。
【００１４】
また、開口部用結合ブロック１５は、図５（ｂ）に示すように、外形は略立方体であり、ジョイナー４の下端部を嵌合する構造になっている。そして、内部には、突起片１５が突設されていて、図５（ａ）に示すように、嵌合したジョイナー４と係合する構造になっている。また、突起片１５の中央部は、目地用切欠き部１７が嵌入できるように目地用切欠き部１７が設けられている。
【００１５】
本実施形態の壁パネルの連結構造の手順は、略実施形態１と同様である。図１のように、折返し片２ａ、２ｂが屋外側で接合されるように、壁パネル１ａ、１ｂを隣接させる。そして、折返し片２ａ、２ｂを覆うようにジョイナー４を係合させる。つぎに、ジョイナー４の下部（開口側）の端部で開口用結合ブロック１５をジョイナー４に嵌合させることにより、ジョイナー４と壁パネル１ａ、１ｂとを係止させる。この状態で、屋内側から乾式目地６の樹枝部位７を折返し片２ａ、２ｂの隙間に嵌入さる。
【００１６】
本実施形態では、開口用結合ブロック１５は、突起片１６を備え、折返し片２ａ、２ｂがと係合しているので、これを介してジョイナー４と壁パネル１ａ、１ｂとを係止する構造となっている。このため、壁パネル１ａ、１ｂの連結部分ががたつくことがない。このために、安定した壁パネルの連結構造になっている。さらに、開口用結合ブロック１５は、目地用切欠き部１７を備え、乾式目地６が下端まで嵌入されているので、浴室内の湿気が壁パネル１ａ、１ｂの屋外側に侵入することがない。また、このために、乾式目地６の端部を特別な形状に加工する必要がない。
【００１７】
なお、本実施形態では、ジョイナー４の下部の端部で開口用結合ブロック１５をジョイナー４に嵌合させているが、この嵌合位置は、開口側であれば適用可能である。つまり、図１の床面側のジョイナーに対しては、その上部の端部に開口用結合ブロックを嵌合させることになる。
【００１８】
【発明の効果】
請求項１に係る発明は、端部を背方に向けて折り返した折返し片を突設させた壁パネルを隣接させ、前記隣接する壁パネルにわたって開口部を設け、隣接させた前記壁パネルの折返し片に沿って断面がコ字状で長尺のジョイナーを前記折返し片を覆うように係合させ、前記ジョイナーの天井側の端部に天井用結合ブロックを前記ジョイナーに嵌合させることにより前記壁パネルと前記ジョイナーとを係止させる壁パネルの連結構造において、前記天井用結合ブロックの背面には前記ジョイナーと螺嵌するネジが嵌入されるネジ孔用切欠き部を形成し、前記ネジを螺嵌させることにより前記天井用結合ブロックを前記ジョイナーに対して保持してなることを特徴としているので、前記ネジを介して前記天井用結合ブロックを前記ジョイナーに対して保持させている。このために、前記ジョイナーの下部が保持されていない状態であって、外部から振動が加わったときにも、前記壁パネルの連結部分ががたつくことがない安定した壁パネルの連結構造になっている。
【００１９】
請求項２に係る発明は、前記開口部に接する前記壁パネルの部分に前記パネルと前記ジョイナーに開口部用結合ブロックを嵌合することにより、前記壁パネルと前記ジョイナーとを係止させ、前記隣接する折返し片の間に乾式目地を嵌入してなる壁パネルの連結構造において、前記開口部ブロックの内部に前記折返し片と係合する突起片と前記乾式目地を嵌入する目地用切欠き部を設けてなることを特徴としているので、乾式目地の端部を特別な形状に加工しなくても、乾式目地が壁パネルの端部まで嵌入されることになり、浴室内の湿気が壁パネルの屋外側に侵入することがなくなる。
【図面の簡単な説明】
【図１】実施形態１に係る壁パネルの連結構造の屋外側の斜視図である。
【図２】実施形態１に係る壁パネルの連結構造の屋内側の斜視図である。
【図３】実施形態１に係る天井用結合ブロックとジョイナーとの斜視図である。
【図４】実施形態２に係る開口用結合ブロックとジョイナーとの斜視図である。
【図５】実施形態２に係る開口用結合ブロックを示し、図５（ａ）は断面図であり、図５（ｂ）は斜視図である。
【図６】実施形態２に係る乾式目地の斜視図である。
【図７】従来例の乾式目地の斜視図である。
【符号の説明】
１ａ、１ｂ      壁パネル
２ａ、２ｂ      折り返し片
３              開口部
４              ジョイナー
５              ジョイナーネジ孔
６              乾式目地
７              樹枝状部位
８ａ、８ｂ      上部折返し片
１０            天井用結合ブロック
１１            ネジ孔用切欠き部
１２            ブロックネジ孔
１３            上部突起片
１５            開口用結合ブロック
１６            突起片
１７            目地用切欠き部
２０            ネジ
【図１】
2005009203.tif 000003
【図２】
2005009203.tif 000004
【図３】
2005009203.tif 000005
【図４】
2005009203.tif 000006
【図５】
2005009203.tif 000007
【図６】
2005009203.tif 000008
【図７】
2005009203.tif 000009